(57)【要約】  【課題】ウエル工法を使用し、堤体内に浸透した浸透水を連続して効果的に取り除くことができるようにした堤防強化用ウエル工法における排水構造を提供する。  【解決手段】既設の河川堤体１０の基部地盤１２に、通水孔２２が外周面に設けられた集水ブロック１６ａを埋設し、該通水孔２２を通して集水ブロック１６ａ内に浸入された堤体１０内の浸透水を集めて排出する堤防強化用ウエル工法における排水構造であって、集水ブロック１６ａは中空横長をした角柱状で、一面側に係合凹部２３を有するとともに他面側に係合凹部２３に挿入係合可能な係合凸部２４を有してなり、堤体１０の基部地盤１２を堤体１０に沿って一定の深さで掘削した溝穴２０内に集水ブロック１６ａを複数連結させて横長列状に配設し、かつ、該横長の集水ブロック列上に係合凸部２４を係合凹部２３に挿入係合させて他の集水ブロック列を積み重ねて形成した排水壁１７を備える構造とした。【選択図】図２
2011236606.tif 000002
【特許請求の範囲】
【請求項１】
既設の河川堤体の基部地盤に、通水孔が外周面に設けられた集水ブロックを埋設し、該通水孔を通して集水ブロック内に浸入された堤体内の浸透水を集めて排出する堤防強化用ウエル工法における排水構造であって、
前記集水ブロックは中空横長をした角柱状で、一面側に係合凹部を有するとともに他面側に前記係合凹部に挿入係合可能な係合凸部を有してなり、
前記堤体の基部地盤を該堤体に沿って一定の深さで掘削した溝穴内に前記集水ブロックを複数連結させて横長列状に配設し、かつ、該横長の集水ブロック列上に前記係合凸部を前記係合凹部に挿入係合させて他の集水ブロック列を積み重ねて形成した排水壁を備えることを特徴とする堤防強化用ウエル工法における排水構造。
【請求項２】
上記集水ブロックは、上面側の前記外周面が開放されて断面Ｕ字状に形成されているとともに、前記係合凹部を前記上面側の外周面に設け、前記係合凸部を下面側の外周面外側に設けてなることを特徴とする請求項１記載の堤防強化用ウエル工法における排水構造。
【請求項３】
上記集水ブロックは、前記通水孔を有する４つの前記外周面が閉じられてなる断面矩形状に形成されているとともに、互いに重なり合う前記通水孔が位置対応して設けられていることを特徴とする請求項１記載の堤防強化用ウエル工法における排水構造。
【請求項４】
上記集水ブロックの通水孔は、上記外周面に格子状にして複数個設けられていることを特徴とする請求項１，２または３記載の堤防強化用ウエル工法における排水構造。
【請求項５】
既設の河川堤体の基部地盤を該堤体に沿って設定された間隔で一定深さの溝穴を掘削し、該溝穴内に該溝穴に沿って横長状に連結配設され、前記堤体内の浸透水を集めて排出する堤防強化用ウエル工法に使用する集水用ブロックであって、
中空横長をした角柱状で、かつ、一面側に係合凹部を有するとともに他面側に前記係合凹部に挿入係合可能な係合凸部を有してなり、一つの集水ブロックの前記係合凸部を他の集水ブロックの前記係合凹部に挿入係合させて積み重ね可能に形成したことを特徴とする堤防強化用ウエル工法に使用する集水用ブロック。
【発明の詳細な説明】
【技術分野】
【０００１】
本発明は、堤防強化用ウエル工法における排水構造及びこれに使用する集水用ブロックに関するものであり、特に、洪水時等に河川の堤体内部及び堤体の基部地盤に浸透している浸透水を集めて排出する堤防強化用ウエル工法における排水構造及びこれに使用する集水用ブロックに関するものである。
【背景技術】
【０００２】
台風の通過や集中豪雨等によって既設の河川が増水し、河川堤防が決壊する原因として、流水により直接堤防を浸食し決壊する現象(浸食破壊)と、河川水が堤防内に浸透して崩落するか、また堤体の基部基盤を浸透してパイピング現象により堤体の裏側から崩壊する(浸透破壊)等がある。
【０００３】
そして、近年までは、この浸食対策として堤防河川側の表面を浸食されないようにコンクリートブロック等で堤体表面を被覆する方法や、河川堤体内に河川水が浸透しないように遮水シートで浸透を阻止する方法、または流速による堤体の基部地盤の局所洗堀を防止する根固め工や水制工等が実施施工されていた。
【０００４】
特に、今日での堤防破壊は、パイピング現象により堤体の基礎地盤の強度低下や地盤沈下により堤体破壊に至っていることが多い。この堤体破壊の対策としては、堤外地側(河川側)にコンクリート壁で止水壁を築造する、止水矢板を用いて止水壁を築造する、あるいは地中にコンクリート壁を埋め込んで止水壁を築造する等が行われて来た。
【０００５】
また、今日では、堤体内に浸透した浸透水を、地中深くまで掘削した穴内に集めて溜め、これをポンプで地表に汲み出す、所謂井戸を設けて排出するウエル工法が採用されている(例えば、特許文献１，特許文献２参照)。このウエル工法の場合では、堤体内に浸透した浸透水は、離れた箇所に設けられた井戸まで浸透した後、排出処理されることになる。
【先行技術文献】
【特許文献】
【０００６】
【特許文献１】特開２００４−６８４８５号公報。
【特許文献２】特開２００４−１１６１５２号公報。
【発明の開示】
【発明が解決しようとする課題】
【０００７】
しかしながら、従来のウエル工法を用いた浸透水の排出方法では、堤体内に浸透した浸透水を穴(井戸)内に集めて溜め、これをポンプで地表に汲み出すようにしているので、十分な透水性が確保されていない場合には集水機能が十分でなく、浸透水が井戸まで行き着くのに時間がかかり、広範囲にわたって十分な排出処理を行うことができない。このように従来の方式の場合は、機能性に乏しく、また多数の位置に井戸等を設けなくてはならないので経済性も悪いという問題点があった。
【０００８】
そこで、ウエル工法を使用し、堤体内に浸透した浸透水を連続して効果的に取り除くことができるようにした堤防強化用ウエル工法における排水構造及びこれに使用する集水用ブロックを提供するために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、既設の河川堤体の基部地盤に、通水孔が外周面に設けられた集水ブロックを埋設し、該通水孔を通して集水ブロック内に浸入された堤体内の浸透水を集めて排出する堤防強化用ウエル工法における排水構造であって、前記集水ブロックは中空横長をした角柱状で、一面側に係合凹部を有するとともに他面側に前記係合凹部に挿入係合可能な係合凸部を有してなり、前記堤体の基部地盤を該堤体に沿って一定の深さで掘削した溝穴内に前記集水ブロックを複数連結させて横長列状に配設し、かつ、該横長の集水ブロック列上に前記係合凸部を前記係合凹部に挿入係合させて他の集水ブロック列を積み重ねて形成した排水壁を備える堤防強化用ウエル工法における排水構造を提供する。
【００１０】
この構成によれば、排水壁を堤体に沿って広い範囲にわたって敷設することができるので、堤体内の広い範囲にわたって浸透した浸透水を、各集水ブロックの通水孔を通して排水壁内に集め、さらに該排水壁内から所定の箇所に送って連続して効果的に取り除くことができる。しかも、横長の集水ブロック列上に、係合凹部と係合凸部を挿入係合させて他の集水ブロック列を積み重ねることにより、所望する高さ及び長さの排水壁を簡単に形成できる。また、集水ブロック列は樋状に連結されるので、排水壁内に浸入された水を所定の箇所に集めて簡単に排出処理することができる。  
【００１１】
請求項２記載の発明は、請求項１記載の構成において、上記集水ブロックは、上面側の前記外周面が開放されて断面Ｕ字状に形成されているとともに、前記係合凹部を前記上面側の外周面に設け、前記係合凸部を下面側の外周面外側に設けてなる堤防強化用ウエル工法における排水構造を提供する。
【００１２】
請求項３記載の発明は、請求項１記載の構成において、上記集水ブロックは、前記通水孔を有する４つの前記外周面が閉じられてなる断面矩形状に形成されているとともに、互いに重なり合う前記通水孔が位置対応して設けられている堤防強化用ウエル工法における排水構造を提供する。
【００１３】
請求項４記載の発明は、請求項１，２または３記載の構成において、上記集水ブロックの通水孔は、上記外周面に格子状にして複数個設けられている堤防強化用ウエル工法における排水構造を提供する。
【００１４】
請求項５記載の発明は、既設の河川堤体の基部地盤を該堤体に沿って設定された間隔で一定深さの溝穴を掘削し、該溝穴内に該溝穴に沿って横長状に連結配設され、前記堤体内の浸透水を集めて排出する堤防強化用ウエル工法に使用する集水用ブロックであって、中空横長をした角柱状で、かつ、一面側に係合凹部を有するとともに他面側に前記係合凹部に挿入係合可能な係合凸部を有してなり、一つの集水ブロックの前記係合凸部を他の集水ブロックの前記係合凹部に挿入係合させて積み重ね可能に形成した堤防強化用ウエル工法に使用する集水用ブロックを提供する。
【００１５】
この構成によれば、各集水ブロックを横長状に連結配置することによりウエル工法に適した樋状の集水ブロック列が形成され、さらに該横長の集水ブロック列上に、係合凸部を係合凹部に挿入係合させて他の集水ブロック列を積み重ねると、所望する高さ及び長さをした排水壁を簡単に形成することができる。
【発明の効果】
【００１６】
請求項１，２，３たは４記載の発明は、堤体内に広い範囲にわたって浸透している浸透水を、この堤体に沿って配設している排水壁内に集めた後、さらに所定の箇所に集めて連続的に排出させ、効果的に取り除くことができるので機能性が向上し、堤防の安定性を高めることができる。また、一つの横長の集水ブロック列上に他の集水ブロック列を係合凹部と係合凸部を挿入係合させて積み重ね、所望する高さ及び長さの排水壁を簡単に形成することができるので、機能性及び経済性の向上が図れる。
【００１７】
請求項５記載の発明は、一つの集水ブロック列の上に他の集水ブロック列を、係合凸部を係合凹部に挿入係合させて積み重ねると、所望する高さ及び長さの排水壁を簡単に形成することができるので、施工がし易く経済性を向上させることができる。また、堤体内に広い範囲にわたって浸透している浸透水を、堤体に沿って配設している排水壁内に集めた後、さらに所定の箇所に送って連続的に排出させ、効果的に取り除くことができるので、機能性が向上して堤防の安定性を高めることができる。
【図面の簡単な説明】
【００１８】
【図１】既設の標準的な河川堤体の基部地盤に、本発明に係る堤防強化用ウエル工法における排水構造を施した場合の一実施例を示す縦断面図。
【図２】図１における排水構造を施した強化対象部位の拡大断面図。
【図３】図２の排水構造の下層部に配設される集水ブロックの拡大斜視図。
【図４】図３における下層集水ブロックの正面図。
【図５】図３における下層ブックの側面図。
【図６】図３のＡ−Ａ線断面図。
【図７】図３の排水構造の最上層部に配設される集水ブロックの拡大斜視図。
【図８】同上強化対象部位における排水構造の一変形例を示す断面図。
【図９】図８の排水構造の下層部に配設される集水ブロックの拡大斜視図。
【発明を実施するための最良の形態】
【００１９】
本発明は、ウエル工法を使用し、堤体内に浸透した浸透水を連続して効果的に取り除くことができるようにした堤防強化用ウエル工法における排水構造を提供するという目的を達成するために、既設の河川堤体の基部地盤に、通水孔が外周面に設けられた集水ブロックを埋設し、該通水孔を通して集水ブロック内に浸入された堤体内の浸透水を集めて排出する堤防強化用ウエル工法における排水構造であって、前記集水ブロックは中空横長をした角柱状で、一面側に係合凹部を有するとともに他面側に前記係合凹部に挿入係合可能な係合凸部を有してなり、前記堤体の基部地盤を該堤体に沿って一定の深さで掘削した溝穴内に前記集水ブロックを複数連結させて横長列状に配設し、かつ、該横長の集水ブロック列上に前記係合凸部を前記係合凹部に挿入係合させて他の集水ブロック列を積み重ねて形成した排水壁を備えることにより実現した。
【実施例】
【００２０】
以下、本発明の排水構造について、好適な実施例を添付図面に基づいて説明する。
【００２１】
図１は既設の標準的な河川堤体の基部地盤に、本発明に係る排水構造を施した場合の一実施例を示す縦断面図である。同図において、この河川堤体では、堤体１０の内側法面１１に続く基礎地盤１２に強化対象部位１３を設けており、増水等により堤外地側(河川側)の水位が上昇して該堤体１０の該基礎地盤１２内に水の流れ(浸透流)が発生した際、その浸透流を該強化対象部位１３で吸収し、パイピング現象による前記基礎基盤１２の強度低下や地盤沈下を無くして前記堤体１０の破壊を防止するようになっている。
【００２２】
図２は、前記堤体１０の前記強化対象部位１３の拡大断面図である。同図において、まず、前記強化対象部位１３の築造手順の一例を説明する。前記堤体１０の前記内側法面１１の下側部分、及びこれに続く周辺部分の前記基礎地盤１２を、該堤体１０に沿って設定された間隔で一定深さの溝穴２０を掘削し、この掘削した溝穴２０の底面に基礎材(コンクリート材)１４を打設する。次に、掘削された溝穴２０の内面を吸い出し防止シート１５で覆い、該吸い出し防止シート１５の上から前記基礎材１４上に集水ブロック１６を前記堤体１０に沿って並べ、これを複数段積み重ね、該集水ブロック１６により排水壁１７を形成する。次いで、集水ブロック１６内に栗石、単粒砕石等が流れ込んで目詰まりを起こすことがないように該排水壁１７の外側をプラスチック繊維あるいは金網等で形成されたネットシート１８で覆うとともに、該排水壁１５の前後(外側法面側と内側法面側)に上記栗石、単粒砕石等の通水性の優れたドレーン材１９を投入して該溝穴２０内の隙間を埋めると前記強化対象部位１３を築造することができる。
【００２３】
前記ドレーン材１９の外側に配設される前記吸い出し防止シート１５は、前記強化対象部位１３の外側で発生している浸透流を該強化対象部位１３内に浸透水として吸い込み、また、この一度吸い込まれた浸透水が該強化対象部位１３内から外側に逆流できない構造となっている。
【００２４】
したがって、前記強化対象部位１３では、前記吸い出し防止シート１５を浸透して内側に吸い込まれた浸透水は、前記ドレーン材１９及び前記ネットシート１８を通って前記排水壁１７の集水ブロック１６内に集められ、さらに該排水壁１７内の水路を通って所定の箇所(例えば、溜め池や井戸)に送られて連続的に処理される。
【００２５】
図３乃至図７は前記排水壁１７を構成している前記集水ブロック１６の一例を示すもので、図３乃至図６は前記排水壁１７の下層部に配設される集水ブロック１６ａを示し、図７は前記排水壁１７の最上層部に配設される集水ブロック１６ｂを示している。
【００２６】
まず、図３乃至図６に示す下層部に配設される前記集水ブロック１６ａについて説明する。前記集水ブロック１６ａは、左右両側端が開口された中空横長をした角柱体で、上面側における外周面は開放されて、側面視概略上向きコ字状に形成されている。また、該集水ブロック１６ａの下面側の外壁部２１ａと前側及び後側の外壁部２１ｂ，２１ｃには、内側から外側まで貫通している矩形状の通水孔２２が複数個ずつ(本例では６個ずつ)、格子状に並設されている。
【００２７】
さらに、前記集水ブロック１６ａの上面開口部分には、前後の外壁２１ｂ，２１ｃにおける上端部分の一部をそれぞれ段状に切欠してなる係合凹部２３が左右両端にわたって形成されている。一方、前記集水ブロック１６ａの下面側の外周壁部２１ａの外面には、前記係合凹部２３に挿入係合可能な係合凸部２４が一体に形成されている。
【００２８】
次に、図７に示す最上層部に配設される集水ブロック１６ｂについて説明する。前記集水ブロック１６ｂは、前記集水ブロック１６ａと同様に、左右両側端が開口された中空横長をした角柱体で、上面側における外周面が開放されて側面視概略上向きコ字状に形成されている。また、該集水ブロック１６ｂの上面開口部分は、上蓋となる集水ブロック１６ｃが取り付けられて閉じられている。
【００２９】
前記集水ブロック１６ｂの下面側の外壁部２５ａと後側の外壁部２５ｃには、内側から外側まで貫通している矩形状の通水孔２６が複数個ずつ(本例では６個ずつ)形成されている。また、前記蓋状集水ブロック１６ｃにも、内側から外側まで貫通している矩形状の通水孔２７が複数個(本例では２個)形成されている。なお、上蓋となる前記集水ブロック１６ｃの通水孔２７は、該集水ブロック１６ｃ上を歩く人の足が該通水孔２７にはまり込むのを防ぐように、通水孔２６に比べて細長い孔として形成されている。
【００３０】
さらに、前記集水ブロック１６ｂの下面を形成している外周壁部２５ａの外面には、前記集水ブロック１６ａの係合凹部２３に挿入係合可能な係合凸部２８が一体に形成されている。
【００３１】
なお、前記集水ブロック１６ａ及び前記集水ブロック１６ｂの大きさは、左右方向の幅が約２０００ｍｍ、高さが約８００ｍｍ、前後の幅が約７００ｍｍである。これらの各寸法は適宜変更可能である。
【００３２】
次に、このように構成された集水ブロック１６ａ，１６ｂ，１６ｃを使用して前記排水壁１７を築造する手順を説明する。まず、前記溝穴２０内の基礎材１４上において、下層部用の集水ブロック１６ａを使用して、排水壁１７の下層部を組み立てる。集水ブロック１６ａはそれぞれ上面開口部分を上側に向けるとともに、隣り合う集水ブロック１６ａ，１６ａの端同士を互いに突き合わせて集水ブロック１６ａ，１６ａ…を堤体１０に沿って順に繋げ、一段目の細長く連続した樋状の下層集水ブロック列を形成する。
【００３３】
次いで、一段目の下層集水ブロック列における前記集水ブロック１６ａ，１６ａ…の上に他の集水ブロック１６ａ，１６ａ…を、該他の集水ブロック１６ａの係合凸部２４が下側の集水ブロック１６ａの前記係合凹部２３に挿入係合されるようにして順に重ね、これを堤体１０に沿って繋げて行くと、二段目の下層集水ブロック列が形成される。これを順に繰り返す。図２はこのようにして集水ブロック１６ａ，１６ａ…を使用した下層集水ブロック列を三段積み重ねて形成した状態を示している。
【００３４】
このようにして下層用の集水ブロック１６ａ，１６ａ…を使用した下層部における集水ブロック列の組立を終えたら、この下層集水ブロック列の上にさらに一段分だけ最上部用の集水ブロック１６ｂ，１６ｂ…を積み重ね、これを堤体１０に沿って繋げて最上段の集水ブロック列を形成する。また、その後から各集水ブロック１６ｂ，１６ｂ…の上に蓋となる集水ブロック１６ｃ，１６ｃ…を取り付けて上面開口部分を塞ぐと、堤体１０に沿って連続した前記排水壁１７が形成される。
【００３５】
したがって、このように構成された排水壁１７では、各集水ブロック列同士が左右方向で樋状に繋がって内部に水路を形成しているとともに、上下の集水ブロック列間も、外壁部２１ａに設けた通水孔２２及び外壁部２５ａに設けた通水孔２６で互いに繋がっているので、集水ブロック１６ａ，１６ａ…、１６ｂ，１６ｂ…、１６ｃ，１６ｃ…で集められて該排水壁１７内に流れ込んだ浸透水は、該排水壁１７内の各水路を通って所定の箇所(例えば、溜め池や井戸)に送られて連続的に処理することができる。
【００３６】
これにより、堤体１０内に広い範囲にわたって浸透している浸透水を、効果的に取り除くことができるので機能性が向上し、堤防の安定性を高めることができる。また、一つの横長の集水ブロック列上に他の集水ブロック列を係合凹部２３と係合凸部２４を挿入係合させて積み重ね、所望する高さ及び長さの排水壁１７を簡単に形成することができるので、機能性及び経済性の向上が図れることになる。
【００３７】
図８は、前記堤体１０の強化対象部位の一変形例を示す拡大断面図である。この変形例では、図２乃至図７に示す強化対象部位１３の排水壁１７を形成している側面視概略上向きコ字状の下層部用の集水ブロック１６ａに変えて、上面側における外周面を閉じて側面視概略口字状に形成されている下層用集水ブロック１６ｄを使用して排水壁１７を形成したものであり、他の構成は図２乃至図７と同一であるから、同一の構成部分は同一符号を付して重複説明を省略する。
【００３８】
そして、下層部用集水ブロック１６ｄは、前記集水ブロック１６ａと同様に、左右両側端が開口された中空横長をした角柱体で、また下面側の外壁部２１ａと前側及び後側の外壁部２１ｂ，２１ｃ並びに上面側の外壁部２１ｄには、内外に貫通している矩形状の通水孔２２が、それぞれ複数個ずつ(本例では６個ずつ)設けられている。
【００３９】
さらに、前記集水ブロック１６ｄの上面側の外壁部２１ｄには、係合凹部２３が左右両端にわたって連続して形成されている。一方、前記集水ブロック１６ｄの下面側の外壁部２１ａの外側面には、前記係合凹部２３に挿入係合可能な係合凸部２４が左右両端にわたって連続して形成されている。
【００４０】
そして、このように構成された下層部用の集水ブロック１６ｄを使用して前記排水壁１７を築造する場合は、まず、係合凹部２３が設けられている上面側の外壁部２１ｄを上側に向けるとともに、隣り合う集水ブロック１６ｄ，１６ｄ…の端同士を互いに突き合わせて集水ブロック１６ｄを堤体１０に沿って順に繋げ、一段目の細長く連続した樋状の下層集水ブロック列を形成する。
【００４１】
次いで、一段目の下層集水ブロック列における前記集水ブロック１６ｄ，１６ｄ…の上に他の集水ブロック１６ｄ，１６ｄ…を、該他の集水ブロック１６ｄの係合凸部２４が下側の集水ブロック１６ｄの前記係合凹部２３に挿入係合されるようにして順に重ね、これを堤体１０に沿って繋げて行くと、二段目の下層集水ブロック列が形成される。これを順に繰り返す。図８はこのようにして集水ブロック１６ｄ，１６ｄ…を使用した下層集水ブロック列を三段積み重ねて形成した状態を示している。また、このようにして積み重ねられた下層集水ブロック列は、上側の集水ブロック１６ｄにおける外壁部２１ａの通水孔２２と外壁部２１ｄに設けた通水孔２２とが上下で連通するように設定されている。
【００４２】
このようにして下層用の集水ブロック１６ｄを使用した下層集水ブロック列の組立を終えたら、この下層集水ブロック列の上にさらに一段分だけ図７に示した最上部用の集水ブロック１６ｂ，１６ｂ…を積み重ね、これを堤体１０に沿って繋げて最上段の集水ブロック列を形成する。また、その後から各集水ブロック１６ｂ，１６ｂ…の上に蓋状集水ブロック１６ｃ，１６ｃ…を取り付けて上面開口部分を塞ぐと、堤体１０に沿って連続した前記排水壁１７が形成される。なお、下層用の集水ブロック１６ｄと最上部用の集水ブロック１６ｂの間は、下層集水ブロック列の上に最上段の集水ブロック列が積み重ねられたとき、最上段の集水ブロック１６ｂにおける外壁部２５ａの通水孔２６と下層用の集水ブロック１６ｄの外壁部２５ｄに設けた通水孔２６とが上下で連通するように設定されている。
【００４３】
したがって、このように構成された排水壁１７でも、各集水ブロック列同士が左右方向で樋状に繋がって内部に水路を形成しているとともに、上下の集水ブロック列間も、外壁部２１ａに設けた通水孔２２及び外壁部２１ｄに設けた通水孔２２並びに外壁部２５ａに設けた通水孔２６でそれぞれ繋がっているので、集水ブロック１６ｂ，１６ｂ…、１６ｃ，１６ｃ…、１６ｄ，１６ｄ…で集められて該排水壁１７内に流れ込んだ浸透水は、該排水壁１７内の各水路を通って所定の箇所(例えば、溜め池や井戸)に送って連続的に処理することができる。
【００４４】
これにより、堤体１０内に広い範囲にわたって浸透している浸透水を、効果的に取り除くことができるので機能性が向上し、堤防の安定性を高めることができる。また、一つの横長の集水ブロック列上に他の集水ブロック列を係合凹部２３に係合凸部２４を挿入係合させて積み重ね、所望する高さ及び長さの排水壁を簡単に形成することができるので、機能性及び経済性の向上が図れることになる。
【００４５】
なお、本発明は、本発明の精神を逸脱しない限り種々の改変を為すことができ、そして、本発明が該改変されたものに及ぶことは当然である。
【産業上の利用可能性】
【００４６】
本発明はウエル工法以外における堤体の強化方法及び強化構造にも応用できる。
【符号の説明】
【００４７】
１０      堤体
１２      基礎地盤
１３      強化対象部位
１４      基礎材
１５      吸い出し防止シート
１６      集水ブロック
１６ａ    下層部用集水ブロック
１６ｂ    最上層部用集水ブロック
１６ｃ    蓋状集水ブロック
１６ｄ    下層部用集水ブロック
１７      排水壁
２０      溝穴
２１ａ〜２１ｃ  外壁部
２１ｄ    外壁部
２２      通水孔
２３      係合凹部
２４      係合凸部
２５ａ〜２５ｃ  外壁部
２６      通水孔
２７      通水孔
２８      係合凸部
【図１】
2011236606.tif 000003
【図２】
2011236606.tif 000004
【図３】
2011236606.tif 000005
【図４】
2011236606.tif 000006
【図５】
2011236606.tif 000007
【図６】
2011236606.tif 000008
【図７】
2011236606.tif 000009
【図８】
2011236606.tif 000010
【図９】
2011236606.tif 000011